【事件の表示】
　平成　９年特許願第３６６７２４号「多層ゴルフボール及び多層ゴルフボールを作る方法」拒絶査定不服審判事件〔平成１０年　８月　４日出願公開、特開平１０−２０１８８０号〕について、次のとおり審決する。
【結　論】
　本件審判の請求は、成り立たない。
【理　由】
１．手続の経緯及び本願発明
　本願は、平成９年１２月２６日（パリ条約による優先権主張１９９７年１月１３日、米国）の出願であって、平成１９年６月７日付けで手続補正がなされ、同年７月２４日付けで拒絶査定がなされ、これに対して同年１０月２日に拒絶査定不服審判の請求がなされるとともに、同日付けで手続補正がなされたものである。
　本願の特許請求の範囲の請求項１に係る発明（以下、「本願発明」という。）は、平成１９年１０月２日付けの手続補正により補正された明細書の特許請求の範囲の請求項１に記載された事項により特定される次のとおりのものである。
　
「コアと、内側カバー層と、ディンプル付き表面を持つ外側カバー層とを備え、慣性モーメントを０．３９０ないし０．４８０とした多層ゴルフボールにおいて、
　前記コアは１．２８ないし１．５７ｉｎ（３．２５−３．９９ｃｍ）の直径と、１８ないし３８．７ｇの重量とを持ち、
　前記内側カバー層は０．０１ないし０．２００ｉｎ（０．２５−５．０８ｍｍ）の厚さを持ち、前記内側カバー層は１６重量％より多い酸含量を持つイオノマー樹脂により構成され、前記内側カバー層が、１ないし１００ｐｈｒの粉末化した黄銅、タングステン、チタン、ビスマス、ホウ素、青銅、コバルト、銅、インコネル金属、鉄、モリブデン、ニッケル、ステンレス鋼、酸化ジルコニウム及びアルミニウムから成る群から選定した粉末化した金属である充てん材を含み、前記内側カバー層は、６５又はそれ以上のショアＤ硬さを持ち、この内側カバー層を、イオノマー樹脂、ポリアミド、ポリウレタン、ポリフェニレンオキシド及びポリカーボネートから成る群から選定した材料により構成され、前記内側カバー層は前記コアを含めて３２．２ないし４４．５ｇの重量を持ち、
　前記外側カバー層は０．０１ないし０．１１０ｉｎ（０．２５−２．７９ｍｍ）の厚さを持ち、前記外側カバー層が、６５又はそれ以下のショアＤ硬さを持ち、この外側カバー層は、イオノマー樹脂、熱可塑性エラストマー、熱硬化性エラストマー、ポリウレタン、ポリエステル及びポリエステルアミドから成る群から選定した材料により構成され、前記コア及び内側カバー層を含めて４５．０ないし４５．９３ｇの重量とを持つようにした多層ゴルフボール。」
　
　なお、平成１９年１０月２日付けの手続補正は、その補正前の請求項１、６及び１１以外の各請求項を削除し、その削除に伴って、その補正前の請求項６、１１を請求項２、３に繰り上げたものであるから、この補正は、平成１８年法律第５５号改正附則第３条第１項によりなお従前の例によるとされる同法による改正前の特許法第１７条の２第４項第１号の請求項の削除を目的とするものに該当する。
　
２．引用例
　これに対して、原査定の拒絶理由に引用された特開平６−３４３７１８号公報（以下、「引用例１」という。）、及び同じく特公平４−４８４７３号公報（以下、「引用例２」という。）には、以下の技術事項が記載されている。
　
ａ．引用例１；
　
　改良された多重層ゴルフボールに関するもので、
記載事項ア．【請求項１】、【請求項４】
「【請求項１】（イ）球心と、
（ロ）少くとも１６重量％のα，β−不飽和カルボン酸を含む高酸イオノマーを含んで成り、前記球心上に成形された内側カバー層と、
（ハ）低曲げ率のアイオノマー樹脂と非イオノマーの熱可塑性エラストマーとから成る群から選んだ比較的軟らかいポリマー材料を含んで成り、前記内側カバー層上に成形された外側カバー層と、を含んで成るゴルフボール。
【請求項４】内側カバー層が厚さ約０．１００〜０．０１０インチで、外側カバー層が厚さ約０．０１０〜０．０５インチであつて、そのゴルフボールが１．６８０インチまたはそれ以上の全体直径を持つ、請求項１に記載のゴルフボール。」
　
記載事項イ．【０００１】
「【発明の分野】本発明は、ゴルフボール、より特別には硬い内側層と比較的軟らかい外側層とを持つ多重層カバーを包含する、改良されたゴルフボールに関する。その改良された多重層ゴルフボールは増大された距離と耐久性とを与えると同時に、軟らかいバラタゴムおよび先行技術のバラタゴム様のカバーに伴う“感触”（ｆｅｅｌ）およびスピン（ｓｐｉｎ）特性も示す。」
　
記載事項ウ．【００１３】
「【発明の要約】本発明は改良された多重層ゴルフカバー組成物並びにその改良された組成物を用いて製造された多重層ゴルフボールとをめざしている。本発明の新規の多重層ゴルフボールカバーは高酸（酸１６ｗｔ％以上）イオノマーまたはイオノマー混合物の第１即ち内側層と、比較的より軟らかい、低モジュラスイオノマー、イオノマー混合物あるいは他の非イオノマー熱可塑性エラストマー例えばポリウレタン、ポリエステルエラストマー例えばＥ．Ｉ．ｄｕＰｏｎｔ　ｄｅ　Ｎｅｍｏｕｒｓ　＆　ＣｏｍｐａｎｙのＨｙｔｒｅｌＴＭポリエステルエラストマー、ポリエステルアミド例えばＥｌｆ　Ａｔｏｃｈｅｍ　Ｓ．Ａ．ＰｅｂａｘＴＭポリエステルアミドよりなる第２即ち外側層とを含む。好ましくは外側層は硬いおよび軟らかい低酸（即ち酸１６ｗｔ％またはそれ以下）イオノマー混合物を含む。」
　
記載事項エ．【００３１】
　【表１】には、高酸（酸＞２０ｗｔ％）イオノマーであるＳＵＲＬＹＮＴＭ８４２２−２、ＳＵＲＬＹＮＴＭ８４２２−３のＳｈｏｒｅ　Ｄ硬度が、それぞれ、６７、６８であることが記載されている。
　
記載事項オ．同じく【００５６】〜【００５８】
「本発明の多重層カバーの外側層１６に関しては、外側層は高酸イオノマーベースの内側層より比較的軟らかい。その軟らかさはバラタゴムまたはバラタゴム混合ボールに典型的に付随する感触と競技特性を与える。外側層は相対的に軟らかく、低モジュラス（約１，０００〜１０，０００ｐｓｉ）で低酸（酸１６ｗｔ％以下）のイオノマー、イオノマー混合物または非イオノマー熱可塑性エラストマー例えばポリウレタン、ポリエステルエラストマー例えば商標ＨｙｔｒｅｌＴＭの下にＤｕＰｏｎｔにより市販されているもの、あるいはポリエステルアミド例えば商標ＰｅｂａｘＴＭの下にＥｌｆ　Ａｔｏｃｈｅｍ　Ｓ．Ａ．により市販されているもの、これらに限定されないが、から成っている。・・・
好ましくは、外側層は硬いおよび軟らかい（低酸）アイオノマー樹脂例えば共にここで文献に組入れられている米国特許第４，８８４，８１４号および第５，１２０，７９１号に記載されているものの混合物を含む。特別には外側層を成形するのに用いられる望ましい材料は基材イオノマー混合物を形成するため高モジュラス（硬）イオノマーと低モジュラス（軟）イオノマーとの混合物を含んでいる。ここでの高モジュラスイオノマーとはＡＳＴＭ法Ｄ−７９０に従って測定して約１５，０００〜７０，０００ｐｓｉであるものである。硬度はＡＳＴＭ法Ｄ−２２４０に従って測定してショア−Ｄ尺度で少くとも５０と定義されてもよい。
外側層混合物中での使用に適当な低モジュラスイオノマーはショア−Ｄ尺度で硬度約２０〜４０と共に、約１，０００〜１０，０００ｐｓｉの曲げ率を持っている。」
　
記載事項カ．【００８２】
「球心上に成形される内側カバー層は厚さ約０．１００〜０．０１０ｉｎ、好ましくは約０．０３７５ｉｎである。外側カバー層は厚さ約０．０１０〜０．０５０ｉｎ、好ましくは約０．０３００ｉｎである。球心と内側カバー層と外側カバー層とが一緒に組合わせて全米ゴルフ協会規則により許されている最小直径１．６８０ｉｎまたはそれ以上の直径を持ち、重量が約１．６２０オンスであるボールを形成する。」
　
記載事項キ．【００８３】、【００８４】
「本発明のカバー組成物（内側および外側カバー層共）には、・・・付加的材料を添加してもよい。その上本発明のカバー組成物はまた柔軟化剤例えば可塑材、加工助財など、および強化剤例えばガラス繊維と無機充填剤を、そのゴルフボールカバによりもたらされる所望の性状が傷付けられない限り、含有していてもよい。
本発明の種々なカバー組成物層は在来の溶融混合法に従って製造してもよい。外側カバー層の場合、硬い低酸アイオノマー樹脂と軟らかい低酸樹脂の混合物を用いる時、成形に先立って、硬いアイオノマー樹脂を、軟らかいアイオノマー樹脂と所望の添加物を含有するマスターバッチと、Ｂａｎｂｕｒｙ混合機、ツーロールミル（ｔｗｏ−ｒｏｌｌ　ｍｉｌｌ）あるいは押出機中で混合する。それから、混合した組成物をスラブに形成し、成形が所望されるまでその状態に保つ。そうでなければ、ペレット状または粒状にした樹脂と着色材マスターバッチとの単純な乾燥混合物を調製し、そして直接、金型に射出する前にバレル（ｂａｒｒｅｌ）の混合部中で均一化がおこる射出成形機に入れてもよい。もし必要ならば、その上添加物例えば無機充填材などを成形工程開始前に添加し、均一に混合してもよい。同様な方法が、内側カバー層製造に用いられる高酸アイオノマー樹脂組成物を作るにも用いられる。」
　
記載事項ク．【００８５】
「本発明のゴルフボールはゴルフボール技術で現在周知の成形法で製造できる。特にゴルフボールは糸巻きまたは固体成形球心のまわりに内側カバー層を射出成形または圧縮成形し、直径１．５０〜１．６７ｉｎ、好ましくは約１．６２０ｉｎを持つ中間ゴルフボールを製造することができる。」
　
記載事項ケ．【００８６】
「・・・続いて外側カバー層を同様な圧縮または射出成形技術により球心および内側層の周りに成形させて直径１．６８０ｉｎまたはそれ以上のディンプル（ｄｉｍｐｌｅ）のついたゴルフボールを形成する。」
　
記載事項コ．【００９０】
「【実施例】幾つかの中間ボール（内側カバー付き球心）を前記の在来の成形方法で調製する。内側カバー組成物は、内側カバーが壁厚約０．０６７５ｉｎを持つよう３６．５ｇの重さで、１．５４５ｉｎ直径の球心の周りに、全体ボールが直径約１．６８０ｉｎであるように成形した。」
　
　記載事項ア〜コの記載内容からして、引用例１には、
「球心と、少なくとも１６重量％のα，β−不飽和カルボン酸を含む高酸イオノマーを含んで成り、前記球心上に成形された内側カバー層と、低曲げ率のアイオノマー樹脂と非イオノマーの熱可塑性エラストマーとから成る群から選んだ高酸イオノマーベースの内側層より比較的軟らかいポリマー材料を含んで成り、前記内側カバー層上に成形され、ディンプルのついた外側カバー層と、を含んで成り、内側カバー層が厚さ約０．１００〜０．０１０インチで、外側カバー層が厚さ約０．０１０〜０．０５インチであり、ボールの重量が約１．６２０オンスである多重層ゴルフボールであって、
　内側カバー層のカバー組成物は無機充填材を含有しており、
　内側カバー組成物は、内側カバーが壁厚約０．０６７５ｉｎを持つよう３６．５ｇの重さで、１．５４５ｉｎ直径の球心の周りに、全体ボールが直径約１．６８０ｉｎであるように成形した、多重層ゴルフボール。」の発明（以下、「引用発明」という。）が記載されているといえる。
　
ｂ．引用例２；
　
記載事項サ．特許請求の範囲
「１　コアと該コアを被覆するカバーとからなるソリツドゴルフボールにおいて、該カバーが外層および内層の２層を有し、かつ、該外層および内層が以下の特性：
　
　
を有することを特徴とするソリツドゴルフボール。
２　カバー内層が高比重充填剤を含有する第１項記載のソリツドゴルフボール。
３　高比重充填剤の比重が１０〜２０である第２項記載のソリツドゴルフボール。」
　
記載事項シ．１頁１欄１７〜２０行
「（産業上の利用分野）
　本発明はソリツドゴルフボール、特にゴルフボールのサバーの構造を変えて飛距離を向上させたソリツトゴルフボールに関する。」
　
記載事項ス．２頁３欄２４〜２７行
「本発明ソリツドゴルフボールのカバー外層１は、従来用いられているカバーと全く同様に調製される。使用し得るカバー材料としては、種々のアイオノマー樹脂が挙げられる。」
　
記載事項セ．２頁４欄２２〜３３行
「カバー内層２はカバー外層１とほぼ同様の樹脂を用いて製造されるが、比重は１．２以上、好ましくは１．４〜２．５に調節される。比重調節のために高比重充填剤を添加する。高比重充填剤（好ましくは、比重１０〜２０）として金属粉、金属酸化物、金属窒化物、金属炭化物等が挙げられる。例えば、タングステン（黒、比重：１９．３）、タングステンカーバイト（黒褐色、比重：１５．８）、モリブデン（灰色、比重：１０．２）、鉛（灰色、比重：１１．３）、酸化鉛（暗灰色、比重：９．３）、ニツケル（銀灰色、比重：８．９）および銅（赤褐色、比重：８．９）またはこれらの混合物が例示される。」
　
記載事項ソ．３頁６欄１２〜２５行
「（発明の効果）
　本発明によればコアの不活性充填剤の添加が減り、ブタジエン本来の反撥性が十分に発揮され、飛距離が伸びる。また、ソリツドゴルフボール中心部の重量が減り、外側部分の重量が増大したことにより、ボールの慣性モーメントが高められ、ボール打撃時の初期スピンが減少し、飛行中のスピンの減衰を制御し、飛距離の増大が図られる。特に、カバー外層の硬質の樹脂を用いれば、初期スピンがさらに減少し、飛距離が伸びる。また、充填剤量が多く耐久性の劣る層を内層にし、充填剤量が少なく耐久性の良い層を外層にして内層を被覆するため、カバー全体の耐久性は実用にたるものとなる。」
　
記載事項タ．３頁６欄３３〜３４行
　表−１の組成物の配合部数はカバー、コアとも重量部によるものである。
　
記載事項チ．４頁の表−１
　上記記載事項タ．によれば、表−１の組成物の配合部数はカバー、コアとも重量部によるものであるから、表−１には、カバー内層において、ハイミラン＃１６０５を１００重量部に対して、実施例１ではタングステンを５０．４重量部、実施例２ではタングステンを８２．７重量部、実施例３ではタングステンを１６．１重量部、実施例４ではモリブデンを９０．４重量部、配合することが記載されている。
　
３．対比
　本願発明と引用発明とを対比する。
　
（ａ）引用発明の「多重層ゴルフボール」は、本願発明の「多層ゴルフボール」に相当する。
　
（ｂ）引用発明の「球心」、「内側カバー層」、「ディンプルのついた外側カバー層」は、本願発明の「コア」、「内側カバー層」、「ディンプル付き表面を持つ外側カバー層」にそれぞれ相当する。
　
（ｃ）引用発明の内側カバー層に用いる「少なくとも１６重量％のα，β−不飽和カルボン酸を含む高酸イオノマー」は、本願発明の内側カバー層を構成する「１６重量％より多い酸含有量を持つイオノマー樹脂」に相当する。
　
（ｄ）引用発明の内側カバー層は、上記（ｃ）で述べたように、「１６重量％より多い酸含量を持つイオノマー樹脂」により構成されているといえるから、引用発明は、本願発明の「この内側カバー層を、イオノマー樹脂、ポリアミド、ポリウレタン、ポリフェニレンオキシド及びポリカーボネートから成る群から選定した材料により構成され」ることに相当する発明特定事項を備えているといえる。
　
（ｅ）引用発明の外側カバー層に用いる「低曲げ率のアイオノマー樹脂と非イオノマーの熱可塑性エラストマーとから成る群から選んだ高酸イオノマーベースの内側層より比較的軟らかいポリマー材料」は、本願発明の外側カバー層を構成する「イオノマー樹脂、熱可塑性エラストマー、熱硬化性エラストマー、ポリウレタン、ポリエステル及びポリエステルアミドから成る群から選定した材料」の概念に包含されるといえる。
　
（ｆ）引用発明の内側カバー層の厚さである約０．１００〜０．０１０インチは、本願発明の内側カバー層の厚さである０．０１ないし０．２００ｉｎに包含されるから、引用発明の「内側カバー層が厚さ約０．１００〜０．０１０インチで」は、本願発明の「内側カバー層は０．０１ないし０．２００ｉｎ（０．２５−５．０８ｍｍ）の厚さを持ち」に相当する。
　
（ｇ）引用発明の外側カバー層の厚さである約０．０１０〜０．０５インチは本願発明の外側カバー層の厚さである０．０１ないし０．１１０ｉｎに包含されるから、引用発明の「外側カバー層が厚さ約０．０１０〜０．０５インチであり」は、本願発明の「外側カバー層は０．０１ないし０．１１０ｉｎ（０．２５−２．７９ｍｍ）の厚さを持ち」に相当する。
　
（ｈ）引用発明の「３６．５ｇの重さで、１．５４５ｉｎ直径の球心」について、引用発明の「球心」は、本願発明の「コア」に相当し、その直径である「１．５４５ｉｎ」は、本願発明のコアの直径である「１．２８ないし１．５７ｉｎ（３．２５−３．９９ｃｍ）」に包含される。また、引用発明の「球心」の重量である「３６．５ｇ」は、本願発明のコアの重量である「１８ないし３８．７ｇ」に包含される。したがって、引用発明の「３６．５ｇの重さで、１．５４５ｉｎ直径の球心」は、本願発明の「コアは１．２８ないし１．５７ｉｎ（３．２５−３．９９ｃｍ）の直径と、１８ないし３８．７ｇの重量とを持」つことに相当するといえる。
　
（ｉ）引用発明の多重層ゴルフボールの重量である「約１．６２０オンス」は換算すると「約４５．９２７ｇ」となり、これは本願発明の多層ゴルフボールの重量である「４５．０ないし４５．９３ｇ」に包含される。したがって、引用発明の「ボールの重量が約１．６２０オンスである多重層ゴルフボール」は本願発明の「前記コア及び内側カバー層を含めて４５．０ないし４５．９３ｇの重量とを持つようにした多層ゴルフボール」に相当するといえる。
　
　（ａ）〜（ｉ）に記載したことからして、本願発明と引用発明の両者は、
「コアと、内側カバー層と、ディンプル付き表面を持つ外側カバー層とを備えた多層ゴルフボールにおいて、
　前記コアは１．２８ないし１．５７ｉｎ（３．２５−３．９９ｃｍ）の直径と、１８ないし３８．７ｇの重量とを持ち、
　前記内側カバー層は０．０１ないし０．２００ｉｎ（０．２５−５．０８ｍｍ）の厚さを持ち、前記内側カバー層は１６重量％より多い酸含量を持つイオノマー樹脂により構成され、この内側カバー層を、イオノマー樹脂、ポリアミド、ポリウレタン、ポリフェニレンオキシド及びポリカーボネートから成る群から選定した材料により構成され、
　前記外側カバー層は０．０１ないし０．１１０ｉｎ（０．２５−２．７９ｍｍ）の厚さを持ち、この外側カバー層は、イオノマー樹脂、熱可塑性エラストマー、熱硬化性エラストマー、ポリウレタン、ポリエステル及びポリエステルアミドから成る群から選定した材料により構成され、前記コア及び内側カバー層を含めて４５．０ないし４５．９３ｇの重量とを持つようにした多層ゴルフボール。」
である点で一致し、次の相違点が存在する。
　
相違点（Ａ）；
　本願発明は、多層ゴルフボールの慣性モーメントが、０．３９０ないし０．４８０であるのに対して、引用発明では多重層ゴルフボールの慣性モーメントが不明である点。
　
相違点（Ｂ）；
　内側カバー層が、本願発明は、１ないし１００ｐｈｒの粉末化した黄銅、タングステン、チタン、ビスマス、ホウ素、青銅、コバルト、銅、インコネル金属、鉄、モリブデン、ニッケル、ステンレス鋼、酸化ジルコニウム及びアルミニウムから成る群から選定した粉末化した金属である充てん材を含むのに対して、引用発明は、無機充てん材を含有するものではあるが、上記の粉末化した金属充てん材を含むか否かが不明である点。
　
相違点（Ｃ）；
　本願発明は、内側カバー層は６５又はそれ以上のショアＤ硬さを持つのに対し、引用発明は、内側カバー層のショアＤ硬さが不明である点。
　
相違点（Ｄ）；
　本願発明は、内側カバー層はコアを含めて３２．２ないし４４．５ｇの重量を持つのに対して、引用発明は、内側カバー層と球心の合計重量が不明である点。
　
相違点（Ｅ）；
　本願発明は、外側カバー層が、６５又はそれ以下のショアＤ硬さを持つのに対して、引用発明は、外側カバー層のショアＤ硬さが不明である点。
　
４．当審の判断
　相違点について検討する。
　
相違点（Ａ）、（Ｂ）について；
　引用例２には、コアと該コアを被覆する外層および内層の２層を有し、カバー内層にカバー外層のアイオノマー樹脂とほぼ同様の樹脂を用いた多層ゴルフボールにおいて、カバー内層の比重を１．２以上に調節するのに、タングステン、モリブデン、ニッケル、銅などの金属粉からなる高比重充填剤を添加すること、また、その実施例１〜４には、ハイミラン＃１６０５樹脂１００重量部に対して、タングステン５０．４重量部、８２．７重量部、１６．１重量部、モリブデン９０．４重量部配合することが記載（上記記載事項サ、タ参照）されており、該記載から引用例２には、カバー内層にタングステン、モリブデン、ニッケル、銅などの金属粉からなる高比重充填剤を樹脂１００重量部に対して１６．１〜９０．４ｐｈｒ配合することが記載されているといえる。
　そして、引用例２には、「本発明によればコアの不活性充填剤の添加が減り、ブタジエン本来の反撥性が十分に発揮され、飛距離が伸びる。また、ソリツドゴルフボール中心部の重量が減り、外側部分の重量が増大したことにより、ボールの慣性モーメントが高められ、ボール打撃時の初期スピンが減少し、飛行中のスピンの減衰を制御し、飛距離の増大が図られる。」と記載（上記記載事項ソ参照）されているのであるから、引用発明において、ゴルフボール中心部の重量を減らし、外側部分の重量を増大させることにより、ボールの慣性モーメントを高め、ボール打撃時の初期スピンを減少させ、飛行中のスピンの減衰を制御し、飛距離の増大を図るために、内側カバー層に充填する無機充填材としてタングステン、モリブデン、ニッケル、銅などの金属粉末を選択して、１ないし１００ｐｈｒ程度充填することは、引用例２の記載事項を基に当業者が容易になし得ることである。
　また、本願明細書の段落【０１８３】の【表２２】によれば、内側カバー層に粉末化した金属である充てん材を含まない試料Ｎｏ．１４、Ｎｏ．１９、Ｎｏ．２３及び従来の市販品も、それ以外の内側カバー層に粉末化した金属である充てん材を含む試料も、ともに慣性モーメントが０．３９０ないし０．４８０の範囲内であり、また、本願明細書の段落【０１９１】の【表２５】によれば、内側カバー層に粉末化した金属である充てん材を含まない試料＃２４、＃２５も、内側カバー層に粉末化した金属である充てん材を含む試料＃２８、＃２９、＃３１も、ともに慣性モーメントが０．３９０ないし０．４８０の範囲内であるから、粉末化した金属である充てん材を含む多層ゴルフボールの慣性モーメントと粉末化した金属である充てん材を含まない多層ゴルフボールの慣性モーメントとの間に実質的な差異を見出すことができない。そうすると、慣性モーメントを０．３９０ないし０．４８０とした点は、通常の多層ゴルフボールが有する慣性モーメントの範囲を特定したにすぎないといわざるを得ない。
　
　したがって、相違点（Ａ）、（Ｂ）に係る本願発明の発明特定事項とすることは、当業者であれば容易になし得ることである。
　
相違点（Ｃ）について；
　引用発明の内側カバー層は、「少なくとも１６重量％のα，β−不飽和カルボン酸を含む高酸イオノマーを含んで成」るものであり、引用例１の【表１】には、高酸イオノマーとしてＳｈｏｒｅ　Ｄ硬度（ショアＤ硬さ）がそれぞれが、６７、６８であるＳＵＲＬＹＮＴＭ８４２２−２、ＳＵＲＬＹＮＴＭ８４２２−３が記載（上記記載事項エ参照）されているのであるから、これを引用発明の内側カバー層として採用することは当業者であれば容易になし得ることである。
　したがって、上記相違点（Ｃ）に係る本願発明の発明特定事項とすることは、当業者であれば容易になし得ることである。
　
相違点（Ｄ）について；
　引用発明の球心の重さは３６．５ｇであり、また、引用発明の多重層ゴルフボール全体の重量は約１．６２０オンス（約４５．９２７ｇ）であるから、球心と内側カバー層との合計重量は３６．５ないし約４５．９２７ｇの間となるが、この範囲内で特に球心と内側カバー層との合計重量を本願発明の３２．２ないし４４．５ｇに含まれる範囲の重さとする程度のことは当業者であれば格別困難なくなし得ることである。
　したがって、上記相違点（Ｄ）に係る本願発明の発明特定事項とすることは、当業者であれば容易になし得ることである。
　
相違点（Ｅ）について；
　引用発明の外側カバー層は、高酸イオノマーベースの内側カバー層より比較的軟らかいポリマー材料からなり、高酸イオノマーに比べてどの程度柔らかくするかは、当業者が適宜選択し得る事項であり、上記（Ｃ）で述べたように内側カバー層としてＳｈｏｒｅ　Ｄ硬度（ショアＤ硬さ）が６７、６８のものを採用することは当業者であれば容易になし得ることであることも考慮すると、引用発明の外側カバー層のショアＤ硬さを６７、６８よりも柔らかい６５又はそれ以下とする程度のことは当業者であれば格別困難なくなし得ることである。
　したがって、上記相違点（Ｅ）に係る本願発明の発明特定事項とすることは、当業者であれば容易になし得ることである。
　
　また、本願発明の作用・効果についても、引用発明から予測し得る範囲を出るものとは認められない。
　
　したがって、本願発明は、引用例１及び２に記載された発明に基いて当業者が容易に発明をすることができたものである。
　
５．むすび
　以上のとおり、本願発明は、引用例１及び２に記載された発明に基いて当業者が容易に発明をすることができたものであるから、特許法第２９条第２項の規定により特許を受けることができない。
　よって、結論のとおり審決する。